(57)【要約】      （修正有）【課題】利便性と経済性とリサイクル性を兼ね備え、さらに柔軟で使い易い紙製の組立式計量スプーンを提供する。【解決手段】底面ブランク部２１と前壁ブランク部２２と側壁ブランク部２３と背壁ブランク部２４とでカップ状に組み立てられる収納部２０と、背壁ブランク部に連接される取っ手３０と、で形成される組立式の計量スプーン１０において、収納部は、底面ブランク部から上方に向かって拡開する前壁ブランク部と側壁ブランク部と背壁ブランク部とが係止突片２５と係止凹部２６を介して組み立てられて成り、取っ手は、背壁ブランク部の上縁部２８から後方に延設すると共に、後端部に係止突片３２を設け、所定中間位置で二つ折りにした状態で、係止突片を背壁ブランク部の下方に穿設される係止穴部に嵌入させて支承されて成り、取っ手の持ち手部３５がアーチ状に撓む手段を採る。【選択図】図２
2014016164.tif 000002
【特許請求の範囲】
【請求項１】
板紙を基材とし、その表面に防水加工が施される一枚の型抜きブランクから成り、底面ブランク部と前壁ブランク部と側壁ブランク部と背壁ブランク部とでカップ状に組み立てられる収納部と、該背壁ブランク部に連接される取っ手と、で形成される組立式の計量スプーンにおいて、
前記収納部は、前記底面ブランク部から上方に向かって拡開する前記前壁ブランク部と前記側壁ブランク部と前記背壁ブランク部とが係止突片と係止凹部を介して組み立てられて成り、
前記取っ手は、前記背壁ブランク部の上縁部から後方に延設すると共に、後端部に係止突片を設け、所定中間位置で二つ折りにした状態で、前記係止突片を前記背壁ブランク部の下方に穿設される係止穴部に嵌入させて支承されて成り、
前記取っ手の持ち手部がアーチ状に撓むことを特徴とする紙製の組立式計量スプーン。
【請求項２】
前記紙製の組立式計量スプーンが、洗剤容器箱内に展開状態または一部折曲状態で収納されることを特徴とする請求項１記載の紙製の組立式計量スプーン。
【請求項３】
前記紙製の組立式計量スプーンが、洗剤容器箱内に組み立て状態で収納されることを特徴とする請求項１記載の紙製の組立式計量スプーン。
【発明の詳細な説明】
【技術分野】
【０００１】
利便性と経済性とリサイクル性を兼ね備え、さらに柔軟で使い易い紙製の組立式計量スプーンに関する。
【背景技術】
【０００２】
従来の粉末洗剤容器箱中には、粉末洗剤を計量する合成樹脂製の計量スプーンが収納されている。
【０００３】
該計量スプーンは、主にプラスチック等の合成樹脂を素材として成型加工されているものが多く、耐久性と計量性と利便性と経済性を兼ね備えたものであるが、粉末洗剤を使い切った後は紙製の粉末洗剤容器箱と合成樹脂製の計量スプーンを別個に分別して廃棄しなければならないことから、使用済みの合成樹脂製の計量スプーンが廃棄されない状態で家庭内に大量に溜まってしまい勝ちになり易いもので、その処分方法においては資源の有効利用ならびに地球環境に配慮した処分方法が求められるものであった。
【０００４】
従来より、上記の目的を達成しようとする提案がなされている。例えば、計量用スプーンそのものを使用せず、収納箱主体の前面隅角部に、上端を天板に添わせて方形状の窓孔を開設するとともに、この窓孔に嵌合して、別に上面開口し、上縁が後方に向かって傾斜下降する透明材料よりなる計量容器箱を、その前面を上記窓孔にそろえ、かつ前面下縁を窓孔下縁に止着して前方に傾斜可能に取り付けてなる「洗剤等の粉状物収納箱」（特許文献１）が提案されている。
【０００５】
しかしながら、上記の「洗剤等の粉状物収納箱」の提案は、粉状物収納箱内の洗剤を洗濯機に投入しようとすると、まず約１ｋｇある粉状物収納箱を傾かせて粉状物収納箱内の洗剤を計量容器内に移動させ、さらにまた粉状物収納箱（計量容器）を傾かせて洗剤を洗濯機に投入しなければならないものであり、洗濯量が多い場合にはその洗濯量に合わせて何回も粉状物収納箱を傾かせなければならず、疲労や面倒さが伴うという問題があった。
【０００６】
また、合成樹脂製の計量スプーンに替わって分別廃棄をする必要性のない紙製の計量スプーンを使用した「計量用紙製スプーン」（特許文献２）や、「組立式計量スプーン」（特許文献３）や、「紙製簡易計量具」（特許文献４）が提案されている。
【０００７】
確かに、上記の「計量用紙製スプーン」や、「組立式計量スプーン」や、「紙製簡易計量具」の提案は何れも計量スプーンが紙製であることから、粉末洗剤を使い切った後は分別廃棄をする必要性がないが、洗剤を計量する形状が比較的平らな掬い面を持って形成されているため、洗濯量に合せた洗剤量を正確に計量することができないものであり、また掬い面が浅いため、洗剤容器箱内の洗剤を効率よく、且つこぼすことなく掬い取ることができないという問題があった。
【０００８】
また、スプーン状の掬い面がボックス状になった「計量用紙製スプーン」（特許文献５）や「紙製計量器」（特許文献６）が提案されている。
【０００９】
しかしながら、上記の「計量用紙製スプーン」や「紙製計量器」の提案は、スプーン状の掬い面と持ち手の部分が直線状に延設されて成型されるため、洗剤容器箱内の洗剤を掬い取る時、掬い面と持ち手の部分が直線状となることによって掬い面の角度に合せて持ち手を傾斜させなければならず、持ち手に疲労負担がかかると共に、使い勝手が悪い上に正確な洗剤量を掬い取ることができないという問題があった。
【００１０】
以上のように、従来の紙製の計量用スプーンの殆どは、スプーン形状の強度を得るために折り線の折り方と嵌め合い構造によって紙製の折り曲げ強度を確保しているため、スプーン形状全体が硬直した直線状の形状にならざる得ないものであることから、該スプーンを使うにあたってスプーンの掬い面に合せた持ち手の動きも直線状に強要されることとなり、必ずしも使い易い計量用スプーンとは言い難いものであった。
【００１１】
本出願人は、以上のような従来の計量用スプーンにおける問題点に着目し、利便性と経済性とリサイクル性を兼ね備え、さらに柔軟で使い易い計量用スプーンができないものかという着想の下、洗剤容器箱に収納される利便性に優れると共に資源の有効利用を図り、さらに廉価で且つ、分別廃棄が容易な柔軟で使い易い紙製の組立式計量スプーンを開発し、本発明における「紙製の組立式計量スプーン」の提案に至るものである。
【先行技術文献】
【特許文献】
【００１２】
【特許文献１】実開平１-１５４１２３号公報
【特許文献２】実開平７-１２９２９号公報
【特許文献３】特開平９-７２７７３号公報
【特許文献４】実開平６-３７７１７号公報
【特許文献５】実開平７-４１４２８号公報
【特許文献６】特開平８-１６６２７４号公報
【発明の概要】
【発明が解決しようとする課題】
【００１３】
本発明は上記問題点を鑑み、利便性と経済性とリサイクル性を兼ね備え、さらに柔軟で使い易い紙製の組立式計量スプーンの提供を図ることを課題とする。
【課題を解決するための手段】
【００１４】
本発明の紙製の組立式計量スプーンは、板紙を基材とし、その表面に防水加工が施される一枚の型抜きブランクから成り、底面ブランク部と前壁ブランク部と側壁ブランク部と背壁ブランク部とでカップ状に組み立てられる収納部と、該背壁ブランク部に連接される取っ手と、で形成される組立式の計量スプーンにおいて、前記収納部は、前記底面ブランク部から上方に向かって拡開する前記前壁ブランク部と前記側壁ブランク部と前記背壁ブランク部とが係止突片と係止凹部を介して組み立てられて成り、前記取っ手は、前記背壁ブランク部の上縁部から後方に延設すると共に、後端部に係止突片を設け、所定中間位置で二つ折りにした状態で、前記係止突片を前記背壁ブランク部の下方に穿設される係止穴部に嵌入させて支承されて成り、前記取っ手の持ち手部がアーチ状に撓む手段を採る。
【００１５】
また本発明の紙製の組立式計量スプーンは、前記紙製の組立式計量スプーンが、洗剤容器箱内に展開状態または一部折曲状態で収納される手段を採る。
【００１６】
また本発明の紙製の組立式計量スプーンは、前記紙製の組立式計量スプーンが、洗剤容器箱内に組み立て状態で収納される手段を採る。
【発明の効果】
【００１７】
本発明の紙製の組立式計量スプーンによれば、収納部の開口口が拡開しているため、洗剤容器箱内の粉末洗剤を容易に掬うことができると共に、取っ手の持ち手部がアーチ状に撓むことで洗剤容器箱内に残った粉末洗剤を持ち手の手首の角度を変えることなく効率よく掬い取ることができるといった優れた効果を奏する。
【００１８】
また本発明の紙製の組立式計量スプーンによれば、収納部が係止突片と係止凹部によって簡単に組み立てることができるため、洗剤容器箱内に展開状態ならびに組み立て状態の何れの形態でも収納できるといった優れた効果を奏する。
【００１９】
また本発明の紙製の組立式計量スプーンによれば、洗剤容器箱内に展開した状態で複数枚入れることができるため、計量スプーンが破損や磨耗、水濡れで分解した場合でも容易に予備と交換して使用することができるといった優れた効果を奏する。
【００２０】
また本発明の紙製の組立式計量スプーンによれば、収納部が開口口が拡開するカップ状に組み立てられるため、粉末洗剤の使用量に合わせて洗剤量を正確、且つ零れ出すことなく計量することができるといった優れた効果を奏する。
【００２１】
また本発明の紙製の組立式計量スプーンによれば、一枚の板紙から型抜きされて製造されるため、製造コストの低廉が図れると共に、大量生産が容易になるといった優れた効果を奏する。
【００２２】
また本発明の紙製の組立式計量スプーンによれば、紙製の表面が防水加工されていることによって、耐久性が増すと共に濡れた手で計量スプーンを把持した状態でも洗剤が手や計量スプーンに付着することなく使用できるといった優れた効果を奏する。
【００２３】
また本発明の紙製の組立式計量スプーンによれば、再生紙などを利用した一枚の板紙から製造されるため、リサイクル利用や分別廃棄性や環境安全性に優れ、且つ資源の有効利用が図れるといった優れた効果を奏する。
【図面の簡単な説明】
【００２４】
【図１】本発明の請求項１記載の紙製の組立式計量スプーンの実施形態を示す展開図である。（実施例１）
【図２】本発明の請求項１記載の紙製の組立式計量スプーンの全体斜視図である。
【図３】本発明の請求項１記載の紙製の組立式計量スプーンの断面説明図である。
【図４】本発明の請求項１記載の紙製の組立式計量スプーンの使用状態を示す説明図である。
【図５】本発明の請求項２記載の紙製の組立式計量スプーンの実施形態を示す説明図である。（実施例２）
【図６】本発明の請求項３記載の紙製の組立式計量スプーンの実施形態を示す説明図である。（実施例３）
【発明を実施するための形態】
【００２５】
本発明の紙製の組立式計量スプーン１０は、板紙を基材とし、その表面に防水加工が施される一枚の型抜きブランクから成り、底面ブランク部２１と前壁ブランク部２２と側壁ブランク部２３と背壁ブランク部２４とでカップ状に組み立てられる収納部２０と、該背壁ブランク部２４に連接される取っ手３０と、で形成される組立式の計量スプーンにおいて、前記収納部２０は、前記底面ブランク部２１から上方に向かって拡開する前記前壁ブランク部２２と前記側壁ブランク部２３と前記背壁ブランク部２４とが係止突片２５と係止凹部２６を介して組み立てられて成り、前記取っ手３０は、前記背壁ブランク部２４の上縁部２８から後方に延設すると共に、後端部３１に係止突片３２を設け、所定中間位置で二つ折りにした状態で、前記係止突片３２を前記背壁ブランク部２４の下方に穿設される係止穴部２７に嵌入させて支承されて成り、前記取っ手３０の持ち手部３５がアーチ状に撓む手段を採ったことを最大の特徴とするもので、以下、本発明の実施例を図面に基づいて説明する。
【００２６】
なお、本発明における紙製の組立式計量スプーン１０は、以下に述べる実施例の構成に特に限定されるものではなく、本発明の趣旨に逸脱しない範囲内において任意に変更されるものである。
【実施例１】
【００２７】
図１は、本発明の請求項１記載の紙製の組立式計量スプーン１０の実施形態を示す展開図である。
本発明の紙製の組立式計量スプーン１０は、板紙を基材とし、その表面に防水加工が施される一枚の型抜きブランクから成り、底面ブランク部２１と前壁ブランク部２２と側壁ブランク部２３と背壁ブランク部２４とでカップ状に組み立てられる収納部２０と、該背壁ブランク部２４に連接される取っ手３０と、で形成される組立式の計量スプーンである。
【００２８】
収納部２０は、底面ブランク部２１から上方に向かって拡開する前壁ブランク部２２と側壁ブランク部２３と背壁ブランク部２４とが係止突片２５と係止凹部２６を介してカップ状に組み立てられるものである。また、各壁ブランク部の内側には、粉末洗剤量を計量する計量表示線２９が表示されている。
【００２９】
取っ手３０は、背壁ブランク部２４の上縁部２８から後方に延設すると共に、後端部３１に係止突片３２を設け、さらに所定中間位置で二つ折りされて背壁ブランク部２４の下方に穿設される係止穴部２７に該係止突片３２を嵌入させて組み立てられている。これにより、取っ手３０の持ち手部３５がアーチ状に撓むことで、持ち手の手首の角度を変えることなく洗剤容器箱Ｂ内に残った粉末洗剤量に合わせて掬い取ることができる。
【００３０】
また、取っ手３０の表面には、防水加工とエンボス加工が施されていることによって、濡れた手で把持しても粉末洗剤Ｓが手に付くことなく滑りにくくすることができ、これにより利便性と耐久性を備える構造とするものである。
【００３１】
洗剤容器箱Ｂは、縦９０×横１５５×高さ１４０ｍｍの直方体の紙製の収納箱に重さ略1ｋｇの粉末洗剤Ｓが収納され、さらに本発明の紙製の組立式計量スプーン１０が展開状態または組み立て状態で収納されているものである。
【００３２】
図２は、本発明の請求項１記載の紙製の組立式計量スプーン１０の全体斜視図である。
本発明の紙製の組立式計量スプーン１０は、収納部２０の開口口が拡開するカップ状に組み立てられているため、衣類の洗濯量に合わせて粉末洗剤Ｓ量を正確、且つ零れ出すことなく計量することができる形状を有している。
【００３３】
また、本発明の紙製の組立式計量スプーン１０は、収納部２０が係止突片２５と係止凹部２６によって簡単に組み立て可能となっているため、洗剤容器箱Ｂ内に展開状態ならびに組み立て状態の何れの形態でも収納できる形状を有している。
【００３４】
図３は、本発明の請求項１記載の紙製の組立式計量スプーン１０の断面説明図である。
本発明の紙製の組立式計量スプーン１０の取っ手３０は、背壁ブランク部２４の上縁部２８から後方に延設すると共に、後端部３１に係止突片２５を設け、さらに二つ折りされて背壁ブランク部２４の下方に穿設される係止穴部２７に該係止突片２５を嵌入させて組み立てられることによって、洗剤容器箱Ｂ内の粉末洗剤Ｓを容易に掬うことができると共に、取っ手３０の持ち手部３５がアーチ状に撓むことで持ち手の手首の角度を変えることなく洗剤容器箱Ｂ内に残った粉末洗剤量を容易に掬い取ることができる使い勝手がよい形状を形成している。
【００３５】
図４は、本発明の請求項１記載の紙製の組立式計量スプーン１０の使用状態を示す説明図である。
本発明の紙製の組立式計量スプーン１０は、収納部２０の開口口が拡開しているため洗剤容器箱Ｂ内の粉末洗剤Ｓを容易に掬うことができると共に、取っ手３０が弾性変形して撓むことによって手首の角度を変えることなく洗剤容器箱Ｂ内に残った粉末洗剤量を容易に掬い取ることができる使い勝手がよい形状を形成している。
【実施例２】
【００３６】
図５は、本発明の請求項２記載の紙製の組立式計量スプーン１０の実施形態を示す説明図である。
本発明の紙製の組立式計量スプーン１０が、洗剤容器箱Ｂ内に展開状態または一部折曲状態で収納されて販売されるもので、洗剤容器箱Ｂ内に展開状態で収納されることによって、製造メーカー側の製造コストの低廉化が図られ、消費者ユーザーにおいては、以前に使用した紙製の組立式計量スプーン１０が使用できる場合は組み立てる必要がないもので、以前の紙製の組立式計量スプーン１０が濡れて変形したり、消耗したりして必要とする場合のみ組み立てて使用することができるものである。
【実施例３】
【００３７】
図６は、本発明の請求項３記載の紙製の組立式計量スプーン１０の実施形態を示す説明図である。
本発明の紙製の組立式計量スプーン１０が、洗剤容器箱Ｂ内に組み立てた状態で収納されて販売されるもので、これにより消費者ユーザーにおいては、開封後に組立式計量スプーン１０を即使用できると共に、使用後は紙製の組立式計量スプーン１０を洗剤容器箱Ｂ内に入れた状態で分別することなく廃棄することができるものである。
【産業上の利用可能性】
【００３８】
本発明における紙製の組立式計量スプーン１０は、紙を基材として製造されていることから、洗剤容器箱Ｂと共に平面化してコンパクトにまとめて廃棄できることによって、ゴミの廃棄体積を減らせると共に、ゴミの排出量の軽減並びにリサイクル利用が図られるもので、本発明における「紙製の組立式計量スプーン」の産業上の利用可能性は極めて大であるものと解する。
【符号の説明】
【００３９】
１０    紙製の組立式計量スプーン
２０    収納部
２１    底面ブランク部
２２    前壁ブランク部
２３    側壁ブランク部
２４    背壁ブランク部
２５    係止突片
２６    係止凹部
２７    係止穴部
２８    上縁部
２９    計量表示線
３０    取っ手
３１    後端部
３２    係止突片
３３    エンボス加工
３４    折れ線
３５    持ち手部
Ｂ    洗剤容器箱
Ｓ    粉末洗剤
【図１】
2014016164.tif 000003
【図２】
2014016164.tif 000004
【図３】
2014016164.tif 000005
【図４】
2014016164.tif 000006
【図５】
2014016164.tif 000007
【図６】
2014016164.tif 000008